(57)【要約】【課題】  ユーザが自分のジョブを容易に判別でき、ユーザが自分のジョブの管理を確実かつ容易に行うことができる利便性の高い画像形成装置を提供すること。【解決手段】  各印刷ジョブ情報に対応する各画像データのそれぞれに基づいた縮小画像である各サムネイル画像を一覧表示するサムネイル表示手段と、所定の追加情報表示指示操作に応じて、前記サムネイル表示手段により表示された各サムネイルのそれぞれに対応する各印刷ジョブに対応して前記印刷ジョブ出力時間計算手段が計算した各出力時間及び各印刷ジョブに対応した各画像データについての前記各印刷枚数情報とを前記サムネイル表示手段により表示された各サムネイルと対応付けて表示する追加情報表示手段とを備えたことを特徴とする。【選択図】    図１
2006252191.tif 000002
【特許請求の範囲】
【請求項１】
形成対象の画像データに基づいて用紙に画像形成を行う画像形成手段と、
各他装置から所定のインターフェースを介して受信した各印刷ジョブに対応する各画像データを記憶する画像データ記憶手段と、
前記各他装置から受信した前記各印刷ジョブのそれぞれについての付帯情報である各印刷ジョブ情報を記憶する印刷ジョブ記憶手段と、
前記印刷ジョブ記憶手段に記憶されている各印刷ジョブの処理順番を示す情報である印刷順番情報を記憶する印刷順番記憶手段と、
前記画像データ記憶手段に記憶されている画像データを前記印刷順番情報に基づいた順番で前記画像形成手段により用紙上に形成して出力する画像形成制御手段と、
前記印刷ジョブ記憶手段が記憶する各印刷ジョブ情報が含む、対応する画像データの枚数を示す情報である印刷枚数情報と、前記印刷順番情報とに基づいて各印刷ジョブに対応する画像データの前記画像形成手段による印刷処理が完了する時間である出力時間を計算する印刷ジョブ出力時間計算手段と、
前記印刷ジョブ記憶手段に記憶されている各印刷ジョブ情報に対応して前記画像データ記憶手段に記憶されている各画像データのそれぞれに基づいた縮小画像である各サムネイル画像を一覧表示するサムネイル表示手段と、
所定の追加情報表示指示操作に応じて、前記サムネイル表示手段により表示された各サムネイルのそれぞれに対応する各印刷ジョブに対応して前記印刷ジョブ出力時間計算手段が計算した各出力時間及び各印刷ジョブに対応した各画像データについての前記各印刷枚数情報とを前記サムネイル表示手段により表示された各サムネイルと対応付けて表示する追加情報表示手段と
を備えたことを特徴とする画像形成装置。
【請求項２】
前記サムネイル表示手段により一覧表示された、各印刷ジョブに対応するサムネイルのうちの１つを操作入力に応じて印刷順番変更対象印刷ジョブとして選択する印刷ジョブ選択手段と、
その印刷ジョブ選択手段により選択された印刷順番変更対象印刷ジョブの印刷順番を指定操作入力に応じた任意の順番に変更すると共に、その変更を前記印刷順番記憶手段が記憶する印刷順番情報に反映させる印刷ジョブ処理順番変更手段と
を備えたことを特徴とする請求項１に記載の画像形成装置。
【請求項３】
前記サムネイル表示手段により一覧表示された、各印刷ジョブに対応するサムネイルのうちの１つを操作入力に応じて消去対象印刷ジョブとして選択する消去対象ジョブ選択手段と、
その消去ジョブ選択手段により選択された消去対象印刷ジョブに対応する画像データ及び印刷ジョブ情報を前記画像データ記憶手段及び前記印刷ジョブ情報記憶手段からそれぞれ削除すると共に前記印刷順番記憶手段における印刷順番情報からも除外する印刷ジョブ消去手段と
を備えたことを特徴とする請求項１または２のいずれかに記載の画像形成装置。
【請求項４】
前記サムネイル表示手段により表示された、各印刷ジョブに対応するサムネイルのうちの１つを操作入力に応じてプレビュー表示対象印刷ジョブとして選択するプレビュー表示対象ジョブ選択手段と、
そのプレビュー表示対象ジョブ選択手段により選択されたプレビュー表示対象印刷ジョブに対応して前記画像データ記憶手段に記憶されている画像データに基づいて前記サムネイル画像より大きな画像イメージとして表示するプレビュー表示手段と
を備えたことを特徴とする請求項１、２または３のいずれかに記載の画像形成装置。
【請求項５】
前記サムネイル表示手段により一覧表示された各印刷ジョブに対応するサムネイルのうちの前記画像形成制御手段による印刷出力処理が完了したサムネイルについて印刷完了を示す所定の情報を対応付けて表示する印刷完了表示手段を備えたことを特徴とする請求項１ないし４のいずれかに記載の画像形成装置。
【発明の詳細な説明】
【技術分野】
【０００１】
本発明は、プリンタ装置、複写機、ファクシミリ装置、複合機等に適用可能な画像形成装置に関し、特に、画像形成装置における印刷ジョブ管理に関する。
【背景技術】
【０００２】
近年、画像形成装置においては、記憶容量の大きいハードディスクなどのメモリを搭載することにより、スキャナから読み取った画像データやネットワークを介して送られた画像データ等のジョブを複数同時に受け付け、それらの画像データをメモリ内に蓄積することが可能となっている。
【０００３】
そして、メモリ内に蓄積された画像データを順次プリントアウトする場合や、大量部コピーなどの時間のかかるジョブがプリンタを占有している場合でも、複数のジョブをメモリ内に蓄積することでユーザを待たせることなく複数のジョブを受け付けることが可能となっている。
【０００４】
しかし、複数のジョブを受け付けることが可能となったため、ユーザはどのユーザが発行したどの種類のジョブが画像形成装置にて現在実行されているのか、または自分が画像形成装置に対して発行したジョブがどのような状況にあるのかを知ることが非常に困難であるという問題点があった。
【０００５】
また、自分が発行したジョブ（自分のジョブ）の実行途中に他のユーザに自分のジョブをキャンセルされてしまった場合や、自分のジョブが正常に終了しなかった場合等の、自分のジョブが画像形成装置により正常に処理された結果物である、画像形成され出力された１または複数ペーシの用紙を得ることができない場合において、ユーザは自分のジョブがどのような結果に終わったのか知ることができないという問題もある。
【０００６】
この問題に対して、特許文献１に記載の画像形成装置では、受け付けた複数のジョブについて過去に行われたジョブの状況を把握することができ、ユーザのジョブ管理について利便性の向上を図っている。
【特許文献１】特開２０００−２９６４４号公報
【発明の開示】
【発明が解決しようとする課題】
【０００７】
しかしながら、上記特許文献１に記載の従来技術では、同一ユーザが識別困難なジョブを複数実行した場合や、わかりにくいユーザ名でのジョブを実行した場合等、自分のジョブに関連するテキスト情報のみでの判別が難しい場合に、ユーザ自分のジョブを判別することが困難となる問題が発生する。
【０００８】
本発明はこのような点に鑑みてなされたものであり、ユーザが自分のジョブを容易に判別でき、ユーザが自分のジョブの管理を確実かつ容易に行うことができる利便性の高い画像形成装置を提供することを目的とする。
【課題を解決するための手段】
【０００９】
請求項１に記載の画像形成装置は、形成対象の画像データに基づいて用紙に画像形成を行う画像形成手段と、各他装置から所定のインターフェースを介して受信した各印刷ジョブに対応する各画像データを記憶する画像データ記憶手段と、前記各他装置から受信した前記各印刷ジョブのそれぞれについての付帯情報である各印刷ジョブ情報を記憶する印刷ジョブ記憶手段と、前記印刷ジョブ記憶手段に記憶されている各印刷ジョブの処理順番を示す情報である印刷順番情報を記憶する印刷順番記憶手段と、前記画像データ記憶手段に記憶されている画像データを前記印刷順番情報に基づいた順番で前記画像形成手段により用紙上に形成して出力する画像形成制御手段と、前記印刷ジョブ記憶手段が記憶する各印刷ジョブ情報が含む、対応する画像データの枚数を示す情報である印刷枚数情報と、前記印刷順番情報とに基づいて各印刷ジョブに対応する画像データの前記画像形成手段による印刷処理が完了する時間である出力時間を計算する印刷ジョブ出力時間計算手段と、前記印刷ジョブ記憶手段に記憶されている各印刷ジョブ情報に対応して前記画像データ記憶手段に記憶されている各画像データのそれぞれに基づいた縮小画像である各サムネイル画像を一覧表示するサムネイル表示手段と、所定の追加情報表示指示操作に応じて、前記サムネイル表示手段により表示された各サムネイルのそれぞれに対応する各印刷ジョブに対応して前記印刷ジョブ出力時間計算手段が計算した各出力時間及び各印刷ジョブに対応した各画像データについての前記各印刷枚数情報とを前記サムネイル表示手段により表示された各サムネイルと対応付けて表示する追加情報表示手段とを備えたことを特徴とする。
【００１０】
請求項２に記載の画像形成装置は、請求項１に記載の画像形成装置において、前記サムネイル表示手段により一覧表示された、各印刷ジョブに対応するサムネイルのうちの１つを操作入力に応じて印刷順番変更対象印刷ジョブとして選択する印刷ジョブ選択手段と、その印刷ジョブ選択手段により選択された印刷順番変更対象印刷ジョブの印刷順番を指定操作入力に応じた任意の順番に変更すると共に、その変更を前記印刷順番記憶手段が記憶する印刷順番情報に反映させる印刷ジョブ処理順番変更手段とを備えたことを特徴とする。
【００１１】
請求項３に記載の画像形成装置は、請求項１または２のいずれかに記載の画像形成装置において、前記サムネイル表示手段により一覧表示された、各印刷ジョブに対応するサムネイルのうちの１つを操作入力に応じて消去対象印刷ジョブとして選択する消去対象ジョブ選択手段と、その消去ジョブ選択手段により選択された消去対象印刷ジョブに対応する画像データ及び印刷ジョブ情報を前記画像データ記憶手段及び前記印刷ジョブ情報記憶手段からそれぞれ削除すると共に前記印刷順番記憶手段における印刷順番情報からも除外する印刷ジョブ消去手段とを備えたことを特徴とする。
【００１２】
請求項４に記載の画像形成装置は、請求項１、２または３のいずれかに記載の画像形成装置において、前記サムネイル表示手段により表示された、各印刷ジョブに対応するサムネイルのうちの１つを操作入力に応じてプレビュー表示対象印刷ジョブとして選択するプレビュー表示対象ジョブ選択手段と、そのプレビュー表示対象ジョブ選択手段により選択されたプレビュー表示対象印刷ジョブに対応して前記画像データ記憶手段に記憶されている画像データに基づいて前記サムネイル画像より大きな画像イメージとして表示するプレビュー表示手段とを備えたことを特徴とする。
【００１３】
請求項５に記載の画像形成装置は、請求項１ないし４のいずれかに記載の画像形成装置において、前記サムネイル表示手段により一覧表示された各印刷ジョブに対応するサムネイルのうちの前記画像形成制御手段による印刷出力処理が完了したサムネイルについて印刷完了を示す所定の情報を対応付けて表示する印刷完了表示手段を備えたことを特徴とする。
【発明の効果】
【００１４】
請求項１に係る発明によれば、自装置が管理する各印刷ジョブについて、対応する各画像データに基づくサムネイル画像を一覧表示すると共に、各印刷ジョブの処理が完了する時間や印刷枚数が各サムネイル画像と対応付けられた態様で表示されるため、
【００１５】
請求項２に係る発明によれば、ユーザは、サムネイルとして一覧表示された各印刷ジョブのうちの任意の印刷ジョブについて、その印刷順番を任意に設定変更できため、ユーザは、急ぎの印刷ジョブを先印刷処理させたり、特に急がずまたページ数も多い印刷ジョブを後回しにするなど柔軟な印刷ジョブ管理をサムネイル表示で確認しつつ確実かつ容易行うことが可能となる効果が得られる。
【００１６】
請求項３に係る発明によれば、ユーザは、サムネイルとして一覧表示された各印刷ジョブのうちの任意の印刷ジョブを消去できるため、ユーザは、本発明に係る画像形成装置に印刷要求した後印刷不要と気づいた印刷ジョブを取り消すなど柔軟な印刷ジョブ管理をサムネイル表示で確認しつつ確実かつ容易行うことが可能となる効果が得られる。
【００１７】
請求項４に係る発明によれば、ユーザは、サムネイルとして一覧表示された各印刷ジョブのうちの任意の印刷ジョブについて、対応する画像データを拡大表示して確認できるため、ユーザは、自分が発行した印刷ジョブの特定をサムネイル表示で確認しつつ確実かつ容易行うこと可能となり、自分が特定した印刷ジョブに対して実行指定した各種処理が、実は、他人が発行した印刷ジョブに対して行われてしまうような自体を未然防止できる利点がある。
【００１８】
請求項５に係る発明によれば、ユーザは、サムネイルとして一覧表示された各印刷ジョブのうちの印刷完了した印刷ジョブに対応するサムネイルについて、印刷完了を示す情報が対応表示されるため、ユーザは、自分が発行した印刷ジョブについて印刷が完了したか否かを、サムネイル表示で確認しつつ確実かつ容易確認することが可能となる効果が得られる。
【発明を実施するための最良の形態】
【００１９】
以下、添付図面を参照しながら、本発明を実施するための最良の形態について説明する。
【００２０】
先ず、図１に、本発明を実施するための最良の形態に係る画像形成装置１の概略構成について示す。
【００２１】
同図において、画像形成装置１は、操作部２と本体部３とにより構成されている。
操作部２は、ユーザとの対話操作を受け入れるためのものであり、本体部３は、ユーザインターフェースに関する制御は操作部２に任せて、画像形成装置１本来の動作である画像形成動作を主に制御する。
操作部２と本体部３とは、操作部２側の本体通信インターフェース２８と、本体部３側の操作部通信インターフェース３１とのやりのとりにより情報やデータのやりとりを行う。
【００２２】
本体部３において、本体制御部３２は、ＲＡＭ３４を作業領域として使用しつつ、ＲＯＭ３３に書き込まれた制御プログラムに基づいて装置各部を制御したり、各種データ処理をしたりする中央演算処理装置である。
【００２３】
ＲＯＭ３３は、本体制御部３２が装置各部を制御するための制御プログラムや、制御に必要な各種情報・データが記憶されるリードオンリメモリである。
【００２４】
ＲＡＭ３４は、前述したように本体制御部３２の作業領域として使用されるランダムアクセスメモリである。
【００２５】
画像形成部３５は、画像データを用紙に印刷（画像形成）して印刷済みの用紙を装置外の図示しないトレイ上に出力するためのものである。
【００２６】
ＨＤＤ３６は、ハードディスク装置であり、ＰＣ１００ａ、ｂ、ｃ等の印刷要求元の他装置としての各ＰＣ（パーソナルコンピュータ）からＰＣＩ／Ｆ部３８を介して受信した印刷ジョブを一時記憶するものである。その場合、印刷ジョブとは、受信した、印刷要求に係る画像データと、その画像データに付帯する、画像データのページ数、ユーザ名などの印刷ジョブ情報との対応付けとして把握されるものであり、その場合印刷ジョブ情報は、要求元のＰＣ１００ａ等から印刷要求時に通知される情報に限らず、受信後画像形成装置１において対応する画像データの処理に関連して必要に応じて追加される情報を含む場合もある。
【００２７】
ＨＤＤ３６は、ＰＣ１００ａ等の印刷要求元のＰＣから受信した各印刷ジョブ（画像データと印刷ジョブ情報との組み合わせ）を記憶すると共に、それ各印刷ジョブの印刷順番を示す情報である印刷順番情報を記憶している。その印刷順番情報により特定される印刷順番は、基本的には、印刷要求の時間順であり、早く印刷要求してきたものほど早く処理されるが、後述するように、その印刷順番をユーザの所望するところに応じて変更することも可能である。
【００２８】
時計回路３７は、現在の日付及び時刻を常に計時しているもので、本体制御部３２は、バス４０を介して時計回路３７を読み出すことで、現在の日時（日付と時刻）を知ることができる。
【００２９】
ＰＣインターフェース部３８は、ＰＣ１００ａ等からの印刷要求を受付け、印刷ジョブを受信するためのものであり、具体的には、ＬＡＮ（ローカルエリアネットワーク）インターフェースやＵＳＢ(Universal Serial Bus)等の汎用のインターフェースが適用可能である。
操作部通信インターフェース３９は、操作部２側の本体通信インターフェイス２８との間で情報・データのやりとりを行うためのものである。
【００３０】
バス４０は、上記本体部３各部が情報・データをやりとりするための信号ラインである。
【００３１】
操作部２は、ＣＰＵ等からなる操作制御部２１と、操作パネル２４と、画像形成装置１本体との通信用インターフェースである本体通信インターフェース２８と、ＲＯＭ２２と、ＲＡＭ２２を備えている。
【００３２】
また、操作パネル２４は、テンキー部２５、タッチパネル部２６、液晶表示部２７を備えている。
【００３３】
バス２９は、それら操作部２１各部が情報・データをやりとするための信号ラインとなる。
【００３４】
操作部２１の操作制御部２１は、本体部３側において本体制御部３２が管理する各種情報・データを使用したい場合には、本体通信インターフェース２８を介して本体制御部３２に依頼して転送を受けることができ、操作制御部２１は、参照するのみならず、変更・消去が必要となる場合には、その転送を受けた情報・データをＲＡＭ２３に一時記憶して、参照・変更・消去を行い、変更・消去した場合には、変更・消去結果を本体制御部３２に通知して、その変更・消去結果を、本体制御部２が管理する情報・データに反映させるようにして、情報・データに不整合が生じないようにする。
【００３５】
図２に、図１の操作パネル２４の配置構成について示す。
【００３６】
同図において、操作部パネル２４は、液晶表示部２７とその液晶表示部２７に重畳配置されたタッチパネル部２６と、テンキー部２４ａと備え、更に、ジョブ表示/非表示切替キー２４ｂを備えている
【００３７】
図３に、液晶表示部２７の表示内容の詳細について示す。
【００３８】
同図において、液晶表示部２７の全表示領域中には、印刷ジョブ表示領域５１と、「順番変更」キー６１、「時間表示」キー６２、「内容詳細」キー６３、「消去」キー６４、「印刷中止」キー６５の各印刷ジョブ制御キー群と、「プレビュー」表示キー４１、「サムネイル」表示キー４２、「一覧」表示キー４３の各印刷ジョブ表示状態選択キー群を備えている。
【００３９】
４１ないし４３、及び、６１ないし６５の各キー群は、液晶表示部２７に重畳配置されたタッチパネル部２６の対応する位置の選択（タッチ操作）により、「押下」されるキーである。
【００４０】
ユーザは、ＰＣ１００ａ、ｂ、ｃ等により画像形成装置１に対して印刷要求を行う。具体的には、ＰＣ１００ａ等上で稼働している文書データ作成アプリケーション（画像編集アプリケーション、ワードプロセッサアプリケーション、表計算アプリケーションなど）により作成した文書データについて、印刷開始操作を行い、その印刷開始操作に応じて文書データアプリケーションがＰＣ１００ａ等上で稼働しているプリンタドライバプログラムに対して文書データを与え、そのプリンタドライバプログラムが画像形成装置１に適合する画像データに変換し、その画像データと付帯情報（印刷ジョブ情報）とを印刷要求に係る印刷ジョブとして画像形成装置１に対してＰＣインターフェース３８を介して送信する。
【００４１】
その場合、印刷要求に係る印刷ジョブを構成する、画像データそのもの、及び、その画像データに付帯する、ユーザ名、ページ数、部数等の印刷ジョブ情報は、ＨＤＤ３６格納されるのは前述した通りである。
【００４２】
本体制御部３２は、ＨＤＤ３６格納される各印刷ジョブを、同じくＨＤＤ３６に記憶される印刷順番情報に基づいて順に処理する。具体的には、画像系制御部３５により準じ用紙に印刷して装置外に出力する処理を行う。
【００４３】
一方、操作部２にてジョブ表示/非表示切替キー２４ｂが押下されることにより、操作制御部２１が本体部３に対して、印刷ジョブ情報および画像データと、印刷順番情報の転送要求を行い、本体部３の本体制御部３２は、その要求に応じて、ＨＤＤ３６から印刷ジョブ情報および画像データと、印刷順番情報操作部２に対する転送出力を行う。
【００４４】
転送出力された印刷ジョブ情報および画像データと印刷順番情報は操作部通信Ｉ／Ｆ３９および本体通信Ｉ／Ｆ２８を経由してＲＡＭ２３に格納される。
【００４５】
そして、ユーザが「サムネイル」表示キー４２を選択（タッチ操作）した場合には、操作制御部２１にてＲＡＭ２３に格納した印刷ジョブ情報と画像データを読み出し、各印刷ジョブに対して、各画像データの一枚目を小さな画像イメージ（サムネイル）に変換し、印刷ジョブ情報（ユーザ名、ジョブ名等）と縮小した画像イメージを組み合わせたものを複数並べたサムネイル表示イメージに展開し、印刷ジョブ表示領域５１にサムネイル表示（各サムネイルを並べて表示すること）を行う。
【００４６】
また、ユーザが「一覧」表示キー４３を選択（タッチ操作）した場合には、操作制御部２１にてＲＡＭ２３に格納した印刷ジョブ情報のみを読み出し、印刷ジョブだけを複数並べたものを一覧表示として展開し、印刷ジョブ表示領域５１に画像イメージなしの印刷ジョブ情報一覧を表示する。
【００４７】
再度、操作部２にてジョブ表示/非表示切替キー２４ｂを押下した場合、ＲＡＭ２３に格納した印刷ジョブ情報および画像データを削除し、液晶表示部２７の表示を印刷ジョブ表示から、装置の現在の動作状態等について表示する通常状態に戻す。
【００４８】
図４に、印刷ジョブ表示制御処理手順について示す。
【００４９】
同図において、操作制御部２１は、「ジョブ表示/非表示切替」キー２４ａが選択（タッチ操作）されて印刷ジョブの表示を行う場合(Ｓ１０１)、本体部３のＨＤＤ３６から各印刷ジョブに対応した印刷ジョブ情報及び画像データと印刷順番情報の受信を行う(Ｓ１０２)。なお、印刷ジョブ情報と画像データとの対応付けは、前述したように、印刷ジョブとして把握することができるものである。
【００５０】
そして、印刷ジョブ情報および画像データの受信後、操作部２の操作制御部２１は、受信した印刷ジョブに対して、各印刷ジョブの画像データの一枚目を縮小して画像イメージ化し(Ｓ１０３)、印刷ジョブ情報と縮小した画像イメージを組合せ（対応付け）、複数の印刷ジョブを印刷ジョブ表示領域５１にサムネイル表示する(Ｓ１０４)。
【００５１】
そして、「サムネイル」表示キー４２、「プレビュー」表示キー４１、または「一覧」表示キー４３のいずれかにキーの選択（タッチ操作）を監視する（判断Ｓ１０５のＮｏ、判断Ｓ１０８のＮｏ、判断Ｓ１１２のＮｏのループ）。
【００５２】
印刷ジョブの表示切替を行う場合として、「プレビュー」表示キー４１が選択（タッチ操作）された場合には(Ｓ１０８のＹｅｓ)、印刷ジョブ表示領域５１に表示した各印刷ジョブのサムネイル表示のいずれかが明示的（積極的に）に選択（タッチ操作）されているか否かを判断し（判断Ｓ１０９）、明示的な選択がなされていない場合には（判断Ｓ１０９のＮｏ）、現在印刷実行中の印刷ジョブ（本体制御部３２に問い合わせることにより特定する）のジョブ情報と対応する画像データとを印刷ジョブ表示領域５１にプレビュー表示して、サムネイル表示の場合よりもずっと大きな画像イメージとして、他のサムネイルと共にではなく単一表示して（処理Ｓ１１１）、判断Ｓ１１４に移行する。
【００５３】
判断Ｓ１０９において明示的に印刷ジョブが選択されている場合には（判断Ｓ１０９のＹｅｓ）、その選択された印刷ジョブと対応する画像データとを印刷ジョブ表示領域５１にプレビュー表示して、つまり、サムネイル表示の場合よりもずっと大きな画像イメージとして、他のサムネイルと共にではなく単一表示して（処理Ｓ１１１）、判断Ｓ１１４に移行する。
【００５４】
それにより、ユーザは所望の印刷ジョブの内容を、大きく表示された画像データにより詳細に確認でき、自分が発行したジョブの画像形成装置１における現在の状態の確認を確実に行えるようになる。
【００５５】
判断Ｓ１１２において、「一覧」表示キー４３が選択された場合には(Ｓ１１２のＹｅｓ)、印刷ジョブ情報だけを複数並べたものを一覧表示として、つまり、印刷ジョブ表示領域５１に画像イメージなしの印刷ジョブ情報一覧を表示して（処理Ｓ１１３）、判断Ｓ１１４に移行する。
【００５６】
印刷ジョブの「プレビュー」表示状態または「一覧」表示状態のときに、判断Ｓ１０５において、「サムネイル」表示キー４２が選択（タッチ操作）された場合には、(Ｓ１０５のＹｅｓ)、各印刷ジョブの画像データの一枚目を縮小画像イメージ化し(Ｓ１０６)、印刷ジョブ情報と縮小した画像イメージを組合せ、複数の印刷ジョブを印刷ジョブ表示領域５１にサムネイル表示して(Ｓ１０７)、判断Ｓ１１４に移行する。
【００５７】
処理Ｓ１０７によるサムネイル表示は、具体的には、図３の印刷ジョブ表示領域５１における表示であり、画像形成装置１に現在係属中の７件分の印刷ジョブのうちの６件（１／７〜６／７）の印刷ジョブについて、印刷ジョブ情報（ユーザ名とジョブ名）とサムネイル画像とが同一の枠内に対応付けて表示されている。また、「１／７」の印刷ジョブは現在印刷実行中のジョブでありその旨も併せて表示することにより、サムネイル表示された多数の印刷ジョブのうちの現在印刷実行中のものを容易に特定できるようにしている。７件の印刷ジョブのうち「７／７」のものについては、図３の印刷ジョブ表示領域５１の右下の下カーソルキー７０ｄを選択（タッチ操作）することで切り替え表示され、その状態で、上カーソルキー７０ｕを選択（タッチ操作）して戻るか、または下カーソルキー７０ｄを選択（タッチ操作）して一巡することで、元の（１／７〜６／７）の表示に戻ることができる。
【００５８】
判断Ｓ１１４において、「ジョブ表示/非表示切替」キー２４ａが押下されない場合には（判断Ｓ１１４のＮｏ）、判断Ｓ１０５に戻るが、押下された場合には（判断Ｓ１１４のＹｅｓ）、印刷ジョブ表示領域５１を閉じる（表示を終了して通常表示に戻る）(処理Ｓ１１５)。
【００５９】
図５は、図２の液晶表示部２７において、印刷ジョブ表示領域５１に図３の６件分のサムネイル表示を行っている状態で、「時間表示」キー６２が選択（タッチ操作）された場合について示している。
【００６０】
図５において、「時間表示」のモードでは、１件分の印刷ジョブについて表示する印刷ジョブ情報量が増えるため、３件分のサムネイル表示としている。たただし、右下の上下カーソルキー７０ｕ、ｄの操作による表示切り替えにより、７件の印刷ジョブの全てについて、サムネイル表示が可能である。
【００６１】
図５の表示では、印刷ジョブ表示領域５１に印刷ジョブのサムネイル表示が表示された状態で、「時間表示」キー６２が選択（タッチ操作）された場合、操作制御部２１は、ＲＡＭ２３に格納した印刷ジョブ情報から出力枚数（対応する画像データのページ数）および出力部数（対応する画像データについてジョブ発行元のユーザが指定した印刷部数）を読み出す。
【００６２】
そして、操作制御部２１は、予め分かっていてＲＯＭ２２に記憶している、画像形成部３５における各サイズの画像データについての必要印刷時間と、各印刷ジョブに係る画像データの出力枚数及び出力部数とから各印刷ジョブについて、印刷出力に要する時間（出力時間）を計算すると共に、ＲＡＭ２３に記憶している印刷順番情報に基づいて、各印刷ジョブの処理が、処理順番が前の各印刷ジョブの処理が完了した後印刷開始されて完了するまでの時間（累計時間）を計算し、各印刷ジョブに対応する印刷ジョブ情報の一部としてＲＡＭ２３に追加記憶する。
【００６３】
そして、図５の表示においても、「出力枚数（１部当たりの枚数と部数との掛け合わせにより表現される）」、「出力時間」及び「累計時間」の各追加情報を含む印刷ジョブ情報とサムネイル画像とを対応付けて各枠内に表示する。
【００６４】
図６に、図３のサムネイル表示をしている状態において操作制御部２１により行われる、「順番変更」キー３−３、「時間表示」キー３−４、「内容詳細」キー３−５、「消去」キー３−６、及び、「印刷中止」キー３−７の各キーが選択（タッチ操作）された場合を制御る手順である印刷ジョブ制御処理手順について示す。
【００６５】
図６において、印刷ジョブ表示領域５１に印刷ジョブがサムネイル表示された状態において(Ｓ２０１)、「時間表示」キー６２が選択（タッチ操作）されない場合には（判断Ｓ２０２のＮｏ）、何もしないで処理Ｓ２０４に移行するが、選択（タッチ操作）された場合には（判断Ｓ２０２のＹｅｓ）、ＲＡＭ２３から各印刷ジョブについての出力枚数と出力部数とを読み出し、その出力枚数及び出力部数により特定される総印刷枚数分の画像形成に要する時間である出力時間を計算し、計算結果をＲＡＭ２３に格納するとともに、印刷ジョブ表示領域５１に表示されたサムネイル表示に出力時間等の情報を追加する（図５の表示状態）(Ｓ２０３)。
【００６６】
「時間表示」キー６２は、全ての印刷ジョブの表示に影響するものであるが、それ以外の、「順番変更」キー６１、「時間表示」キー６２、「内容詳細」キー６３、「消去」キー６４、及び、「印刷中止」キー６５は、選択された特定の印刷ジョブにのみ影響するものである。
【００６７】
そのため、処理Ｓ２０４では、図３または図５の表示形態で表示された各印刷ジョブのうちの１つをユーザに選択（タッチ操作）させて処理対象の印刷ジョブを特定した上で、「順番変更」キー６１、「消去」キー６４、「内容詳細」キー６３、及び、「印刷中止」キー６５の各キーのうちのいずれかが選択（タッチ操作）されたかを監視する（判断Ｓ２０５のＮｏ、判断Ｓ２０７のＮｏ、判断Ｓ２０９のＮｏ、判断Ｓ２１１のＮｏのループ）。
【００６８】
そして、「順番変更」キー６１が選択された場合には（判断Ｓ２０５のＹｅｓ）、順番変更処理、ＲＡＭ２３に格納された印刷ジョブの順番を指定された順番に変更し、その結果を印刷ジョブ表示領域５１にサムネイル表示すると共に、本体部側に変更結果を通知して本体部側の「印刷順番情報」に反映させる（書き換え変更させる）処理を行い（処理Ｓ２０６）、判断Ｓ２１４に移行する。
【００６９】
「消去」キー６４が選択された場合には（判断Ｓ２０７のＹｅｓ）、ジョブ消去処理、つまり、ＲＡＭ２３に格納された印刷ジョブのうち指定された印刷ジョブを削除し、印刷ジョブ表示領域５１に表示されたサムネイル表示からも印刷ジョブ情報および画像イメージを削除すると共に、本体部側に削除結果を通知して本体部側での印刷ジョブ管理に反映させる（削除変更させる）処理を行い（処理Ｓ２０８）、判断Ｓ２１４に移行する。
【００７０】
「内容詳細」キー６３が選択された場合は（判断Ｓ２０９のＹｅｓ）、ジョブ内容詳細サムネイル表示処理、つまり、ＲＡＭ２３に格納された印刷ジョブのうち指定された印刷ジョブの全情報および全画像データを読み出し、印刷ジョブ表示領域５１に指定された印刷ジョブの印刷ジョブ情報を表示すると共に各頁の画像データをサムネイル表示する処理を行い（処理Ｓ２１０）、判断Ｓ２１４に移行する。
【００７１】
「印刷中止」キー６５が選択された場合は（判断Ｓ２１１のＹｅｓ）、ジョブ出力中止処理、つまり、ＲＡＭ２３に格納された印刷ジョブに印刷中止の情報を追加すると共に印刷ジョブ表示領域５１には指定された印刷ジョブに印刷中止の情報を追加表示し、更に、本体部２２に対して指定した印刷ジョブの画像出力中止要求を行い、次の印刷ジョブを実行させ処理を行い（処理Ｓ２１２）、判断Ｓ２１４に移行する。
【００７２】
判断Ｓ２１４においては、「サムネイル」表示キー４２が選択（タッチ操作）されなかった場合には（判断Ｓ２１４のＮｏ）、処理を終了し、選択された場合には（判断Ｓ２１４のＹｅｓ）、処理Ｓ２０１に戻る。
【００７３】
図７は、図６の処理Ｓ２０４において、「４／７」の印刷ジョブが選択された上で、判断Ｓ２０５において「順番変更」キー３−３が押下された場合に行われる処理Ｓ２０６の順番変更処理に対応した液晶表示部２７における表示状態について示している。
【００７４】
図７において、「順番変更」キー６１が押下されると、順番変更画面８１が重畳表示され、その順番変更画面８１には「順番を変更しますか？」との文字列と共に、実行キー８２とキャンセルキー８３が配置・表示されている。
【００７５】
印刷ジョブの順番を変更する場合には、順番変更画面８１表示後、変更する順番を数字で入力し、実行キー８２を選択する。印刷ジョブの順番を変更しない場合には、順番変更画面８１のキャンセルキー８３を選択する。
【００７６】
図８は、図６の処理Ｓ２０４において、「４／７」の印刷ジョブが選択された上で、判断Ｓ２０７において「消去」キー６４が押下された場合に行われる処理Ｓ２０８のジョブ゛消去処理に対応した液晶表示部２７における表示状態について示している。
【００７７】
図８において、「消去」キー６４が押下されると、ジョブ消去画面９１が重畳表示され、そのジョブ消去画面９１には「ジョブを消去しますか？」との文字列と共に、実行キー９２とキャンセルキー９３が配置・表示されている。
【００７８】
印刷ジョブを消去する場合には、ジョブ消去画面９１表示後、実行キー９２を選択する。印刷ジョブを消去しない場合には、ジョブ消去画面９１のキャンセルキー９３を選択する。
【００７９】
操作制御部２１は、図５に示すように、各印刷ジョブについて、印刷ジョブ情報及び対応する画像データに基づくサムネイル画像を表示している状態において、印刷実行中の印刷ジョブである「１／７」のジョブが完了すると（完了は、本体部３とのやりとりにより知る）、図１０に示すように、印刷完了を示す「済」の字を丸で囲んだマークを、「１／７」の印刷ジョブ分の枠に重ねて表示する。その場合、「実行中」の表示は、印刷処理順番が「１／７」の次の「２／７」の印刷ジョブに移る。
【００８０】
それにより、ユーザは、「１／７」の印刷ジョブについては、印刷出力が完了していることを視覚的に容易かつ確実に確認することができる。
【００８１】
なお、以上本発明を実施するための最良の形態について説明したが、本発明は上記のものに限定されるものではなく、その要旨を逸脱しない範囲で種々変更可能であることはいうまでもない。
【図面の簡単な説明】
【００８２】
【図１】本発明を実施するための最良の形態に係る画像形成装置のブロック構成について示す図である。
【図２】図１の画像形成装置の操作パネルの配置構成について示す図である。
【図３】図１の画像形成装置の操作パネルの液晶表示部における表示例について示す図である。
【図４】図１の画像形成装置の操作制御部が行う処理手順について示すフローチャートである。
【図５】図１の画像形成装置の操作パネルの液晶表示部における表示例について示す図である。
【図６】図１の画像形成装置の操作制御部が行う処理手順について示すフローチャートである。
【図７】図１の画像形成装置の操作パネルの液晶表示部における表示例について示す図である。
【図８】図１の画像形成装置の操作パネルの液晶表示部における表示例について示す図である。
【図９】図１の画像形成装置の操作パネルの液晶表示部における表示例について示す図である。
【符号の説明】
【００８３】
１  画像形成装置
２  操作部
３  本体部
３５  画像形成部
【図１】
2006252191.tif 000003
【図２】
2006252191.tif 000004
【図３】
2006252191.tif 000005
【図４】
2006252191.tif 000006
【図５】
2006252191.tif 000007
【図６】
2006252191.tif 000008
【図７】
2006252191.tif 000009
【図８】
2006252191.tif 000010
【図９】
2006252191.tif 000011